(57)【要約】【課題】患者の服薬を支援する改良された服薬支援装置を実現する。【解決手段】服薬支援装置１００内には、通常薬を収めた複数の薬剤ケースと頓服薬を収めた複数の薬剤ケースが格納される。服薬支援装置１００は、装置内に格納された通常薬の薬剤ケースをその通常薬の服用情報に従って取り出し口１０ｎから計画的に患者に差し出し、また、装置内に格納された頓服薬の薬剤ケースを患者から得られる生体情報に応じて取り出し口１０ｅから応急的にその患者に差し出す。さらに、服薬支援装置１００には回収口１０ｃが設けられており、服薬後における通常薬の薬剤ケースと頓服薬の薬剤ケースが回収口１０ｃから服薬支援装置１００内に回収される。そして、服薬支援装置１００は、薬剤ケースの回収状況に基づいて通常薬と頓服薬の服用記録を作成する。【選択図】図１
2014036731.tif 000002
【特許請求の範囲】
【請求項１】
計画的に患者に与えられる通常薬を収めた薬剤ケースを格納する通常薬格納部と、
応急的に患者に与えられる頓服薬を収めた薬剤ケースを格納する頓服薬格納部と、
通常薬に関する服用情報を処理する服用情報処理部と、
患者から得られる生体情報を処理する生体情報処理部と、
を有し、
前記通常薬格納部に格納された通常薬の薬剤ケースをその通常薬に関する服用情報に従って計画的に患者に差し出し、
前記頓服薬格納部に格納された頓服薬の薬剤ケースを患者から得られる生体情報に応じて応急的にその患者に差し出す、
ことを特徴とする服薬支援装置。
【請求項２】
請求項１に記載の服薬支援装置において、
通常薬の薬剤ケースを患者に差し出す際にその通常薬の画像を表示し、頓服薬の薬剤ケースを患者に差し出す際にその頓服薬の画像を表示する表示部をさらに有する、
ことを特徴とする服薬支援装置。
【請求項３】
請求項１または２に記載の服薬支援装置において、
前記服用情報処理部は、通常薬格納部に格納される薬剤ケース内の通常薬に関する服用情報をネットワーク経由で管理センタから取得し、
前記生体情報処理部は、患者の状態を計測する計測装置からその患者に関する生体情報を取得する、
ことを特徴とする服薬支援装置。
【請求項４】
請求項３に記載の服薬支援装置において、
前記生体情報処理部は、前記計測装置から得られた患者に関する生体情報をネットワーク経由で管理センタに提供し、
前記服用情報処理部は、前記生体情報に応じた頓服薬に関する服用情報をネットワーク経由で管理センタから取得し、
前記頓服薬格納部に格納された頓服薬の薬剤ケースをその頓服薬に関する服用情報に従って患者に差し出す、
ことを特徴とする服薬支援装置。
【請求項５】
請求項１から４のいずれか１項に記載の服薬支援装置において、
患者に差し出された通常薬と頓服薬の薬剤ケースを回収するケース回収部と、
薬剤ケースの回収状況に基づいて通常薬と頓服薬の服用記録を作成する服用記録作成部と、
をさらに有する、
ことを特徴とする服薬支援装置。
【発明の詳細な説明】
【技術分野】
【０００１】
本発明は、患者の服薬を支援する服薬支援装置に関する。
【背景技術】
【０００２】
自宅等にいる患者の服薬を支援する装置が知られている。例えば、特許文献１には、患者に服薬時間を知らせるとともに服薬数だけ取り出すことができ、患者が服薬時間を過ぎても服薬しない場合に介護者等に未服用情報を通知する服薬管理装置が提案されている。また、特許文献２には、予め処方された投薬を指定時刻に服用でき、服用状況が医療側に通知される投薬システムが提案されている。
【先行技術文献】
【特許文献】
【０００３】
【特許文献１】特開２０１１−３０９３４号公報
【特許文献２】特開平１１−２１６１７１号公報
【発明の概要】
【発明が解決しようとする課題】
【０００４】
上述した背景技術に鑑み、本願の発明者は、患者の服薬を支援する技術について研究開発を重ねてきた。特に、在宅医療や介護施設における服薬の支援に注目した。
【０００５】
本発明は、その研究開発の過程において成されたものであり、その目的は、患者の服薬を支援する改良された服薬支援装置を実現することにある。
【課題を解決するための手段】
【０００６】
前記目的にかなう好適な服薬支援装置は、計画的に患者に与えられる通常薬を収めた薬剤ケースを格納する通常薬格納部と、応急的に患者に与えられる頓服薬を収めた薬剤ケースを格納する頓服薬格納部と、通常薬に関する服用情報を処理する服用情報処理部と、患者から得られる生体情報を処理する生体情報処理部と、を有し、前記通常薬格納部に格納された通常薬の薬剤ケースをその通常薬に関する服用情報に従って計画的に患者に差し出し、前記頓服薬格納部に格納された頓服薬の薬剤ケースを患者から得られる生体情報に応じて応急的にその患者に差し出す、ことを特徴とする。
【０００７】
当該服薬支援装置によれば、通常薬の薬剤ケースを計画的に患者に差し出すことに加えて、頓服薬の薬剤ケースを応急的に患者に差し出すことにより、手厚い服薬支援が可能になる。
【０００８】
望ましい具体例において、前記服薬支援装置は、通常薬の薬剤ケースを患者に差し出す際にその通常薬の画像を表示し、頓服薬の薬剤ケースを患者に差し出す際にその頓服薬の画像を表示する表示部をさらに有する、ことを特徴とする。
【０００９】
望ましい具体例において、前記服用情報処理部は、通常薬格納部に格納される薬剤ケース内の通常薬に関する服用情報をネットワーク経由で管理センタから取得し、前記生体情報処理部は、患者の状態を計測する計測装置からその患者に関する生体情報を取得する、ことを特徴とする。
【００１０】
望ましい具体例において、前記生体情報処理部は、前記計測装置から得られた患者に関する生体情報をネットワーク経由で管理センタに提供し、前記服用情報処理部は、前記生体情報に応じた頓服薬に関する服用情報をネットワーク経由で管理センタから取得し、前記頓服薬格納部に格納された頓服薬の薬剤ケースをその頓服薬に関する服用情報に従って患者に差し出す、ことを特徴とする。
【００１１】
望ましい具体例において、前記服薬支援装置は、患者に差し出された通常薬と頓服薬の薬剤ケースを回収するケース回収部と、薬剤ケースの回収状況に基づいて通常薬と頓服薬の服用記録を作成する服用記録作成部と、をさらに有することを特徴とする。
【発明の効果】
【００１２】
本発明により、患者の服薬を支援する改良された服薬支援装置が実現される。例えば、本発明の好適な服薬支援装置によれば、通常薬の薬剤ケースを計画的に患者に差し出すことに加えて、頓服薬の薬剤ケースを応急的に患者に差し出すことにより、手厚い服薬支援が可能になる。
【図面の簡単な説明】
【００１３】
【図１】本発明の実施において好適な服薬支援装置の全体構成を示す図である。
【図２】薬剤ケースの前面側から見た斜視図である。
【図３】薬剤ケースの後面側から見た斜視図である。
【図４】服薬支援装置内に設けられるケース格納部の斜視図である。
【図５】服薬支援装置の機能を説明するためのブロック線図である。
【発明を実施するための形態】
【００１４】
図１は、本発明の実施において好適な服薬支援装置１００の外観を示す斜視図である。服薬支援装置１００は、自宅や介護施設などに居る患者の服薬を支援する装置であり、計画的に患者に与えられる通常薬と応急的に患者に与えられる頓服薬を収めた薬箱として機能する。通常薬と頓服薬は薬剤ケース内に収められており、服薬支援装置１００内には、通常薬を収めた複数の薬剤ケースと頓服薬を収めた複数の薬剤ケースが格納される。
【００１５】
服薬支援装置１００には取り出し口１０ｎ，１０ｅが設けられている。そして、服薬支援装置１００内に格納された通常薬の薬剤ケースが取り出し口１０ｎから取り出され、また、服薬支援装置１００内に格納された頓服薬の薬剤ケースが取り出し口１０ｅから取り出される。服薬支援装置１００は、装置内に格納された通常薬の薬剤ケースをその通常薬の服用情報に従って取り出し口１０ｎから計画的に患者に差し出し、また、装置内に格納された頓服薬の薬剤ケースを患者から得られる生体情報に応じて取り出し口１０ｅから応急的にその患者に差し出す。
【００１６】
さらに、服薬支援装置１００には回収口１０ｃが設けられており、服薬後における通常薬の薬剤ケースと頓服薬の薬剤ケースが回収口１０ｃから服薬支援装置１００内に回収される。そして、服薬支援装置１００は、薬剤ケースの回収状況に基づいて通常薬と頓服薬の服用記録を作成する。
【００１７】
服薬支援装置１００には、表示部３０とカメラ４０とスピーカ５０とマイク６０が設けられている。表示部３０には、取り出し口１０ｎ，１０ｅから取り出される薬剤ケースに収められた通常薬や頓服薬に関する情報が表示される。例えば、装置内から取り出し口１０ｎまたは取り出し口１０ｅに押し出されている薬剤ケース内の通常薬または頓服薬の画像が表示部３０に表示され、患者はその画像と薬剤ケース内の実際の薬とが一致しているか否かを確認することができる。
【００１８】
カメラ４０は、例えば患者の様子を撮影する。服薬支援装置１００は、通信回線などを介して、患者の服薬を管理する管理センタに接続され、管理センタとの間で患者や薬に関する情報を交換する。例えば、カメラ４０によって撮影された画像が通信回線を介して管理センタに送信され、管理センタ側の医療関係者が患者の様子を確認することができる。また、スピーカ５０とマイク６０を利用して、服薬支援装置１００を利用する患者と管理センタ側の医療関係者が互いに音声を遣り取りすることもできる。
【００１９】
また、服薬支援装置１００は、患者の脈拍や呼吸や血圧や体温などを測定するバイタルサイン測定器から患者の生体情報を得ている。そして、服薬支援装置１００は、バイタルサイン測定器から得られた患者の生体情報に基づいて、必要に応じてその患者に頓服薬の薬剤ケースを差し出す。なお、服薬支援装置１００は、バイタルサイン測定器から得られた生体情報を管理センタに送信し、管理センタから得られる頓服薬の服用情報に従って、患者に頓服薬の薬剤ケースを差し出すようにしてもよい。
【００２０】
服薬支援装置１００の概要は以上のとおりである。次に、服薬支援装置１００内に格納される薬剤ケースの好適な具体例について説明する。
【００２１】
図２は、薬剤ケース７０の前面側から見た斜視図である。薬剤ケース７０は、全体の形状が上下方向に薄い直方体であり、その前面にスライド式の蓋７２が設けられている。スライド式の蓋７２をスライドさせることにより、前面に取り出し口７４が現れ、取り出し口７４から薬剤ケース７０内に薬を収容することができ、また、取り出し口７４から薬剤ケース７０内の薬を取り出すことができる。
【００２２】
薬剤ケース７０の上面には、前面側とそれに対向する後面側のそれぞれに、リブ７６が形成されている。また、上面に対向する下面にも、前面側と後面側のそれぞれに、リブ７６が形成されている。これら複数のリブ７６は、前面側と後面側において、互いに位置や大きさが異なるように形成され、これにより、複数の薬剤ケース７０を重ねた際に、薬剤ケース７０の前後が逆に配置されることを防いでいる。
【００２３】
図３は、図２の薬剤ケース７０の後面側から見た斜視図である。既に説明したとおり、薬剤ケース７０の上面とそれに対向する下面には、複数のリブ７６が形成されている。
【００２４】
薬剤ケース７０の右側面には、後面側にＩＣチップ７８が取り付けられる。薬剤ケース７０に取り付けられたＩＣチップ７８には、その薬剤ケース７０を特定する識別情報が記録される。これにより、薬剤ケース７０内に収められた薬を間接的に特定できる。もちろん、ＩＣチップ７８に薬を特定する識別情報を記録しておき、薬剤ケース７０に収められた薬を直接的に特定できるようにしてもよい。
【００２５】
薬剤ケース７０内には、例えば１回の服用分だけ、通常薬または頓服薬が収められる。なお、通常薬と頓服薬を互いに異なる形状の薬剤ケース７０に収めるようにしてもよい。
【００２６】
図２，図３に示した薬剤ケース７０は複数に重ねられて、図１の服薬支援装置１００内に設けられたケース格納部に格納される。
【００２７】
図４は、図１の服薬支援装置１００内に設けられるケース格納部８０の斜視図である。服薬支援装置１００内には、通常薬用と頓服薬用と回収用の３つのケース格納部８０が設けられる。図４には、１つのケース格納部８０のみが図示されており、通常薬用と頓服薬用と回収用の各々について、例えば図４のケース格納部８０が利用される。
【００２８】
ケース格納部８０内には、通常薬用であれば通常薬を収めた複数の薬剤ケース７０が収容され、頓服薬用であれば頓服薬を収めた複数の薬剤ケース７０が収容され、回収用であれば薬を取り出された複数の薬剤ケース７０が収容される。
【００２９】
ケース格納部８０は、板状の昇降台８２を備えており、上下方向に重ねられた複数の薬剤ケース７０が昇降台８２に載せられる。昇降台８２には略垂直に交差するように送りネジ８６が通されており、昇降台８２と送りネジ８６は交差部分において互いに螺合している。そして、送りネジ８６の回転により、昇降台８２が送りネジ８６の伸長方向に沿って上下方向に昇降する。送りネジ８６は、ギア等を介して、昇降用モータ８８により駆動される。
【００３０】
ケース格納部８０は、上下方向に伸長された２枚の側面板８４を備えており、昇降台８２と複数の薬剤ケース７０が２枚の側面板８４に挟まれるように配置される。なお、２枚の側面板８４の内側つまり昇降台８２側にガイドレールを設け、ガイドレールに沿って昇降台８２を昇降させてもよい。また、送りネジ８６と略平行にガイドシャフトを設け、ガイドシャフトに沿って昇降台８２を昇降させてもよい。
【００３１】
こうして、ケース格納部８０内において、昇降台８２と送りネジ８６と昇降用モータ８８で構成される昇降機構により、複数の薬剤ケース７０が昇降される。通常薬用のケース格納部８０であれば、複数の薬剤ケース７０が上方向に移動され、最上段の薬剤ケース７０が位置Ｐにおいて押出機構により前方向に押し出され、その前方向にある取り出し口１０ｎ（図１）から、通常薬を収めたその薬剤ケース７０が患者に取り出される。なお、押し出される薬剤ケース７０に取り付けられたＩＣチップ７８（図３）に記録された情報がセンサ８９により読み取られる。
【００３２】
また、頓服薬用のケース格納部８０であれば、複数の薬剤ケース７０が上方向に移動され、最上段の薬剤ケース７０が位置Ｐにおいて押出機構により前方向に押し出され、その前方向にある取り出し口１０ｅ（図１）から、頓服薬を収めたその薬剤ケース７０が患者に取り出される。なお、押し出される薬剤ケース７０に取り付けられたＩＣチップ７８（図３）に記録された情報がセンサ８９により読み取られる。
【００３３】
そして、回収用のケース格納部８０であれば、位置Ｐの前方向にある回収口１０ｃ（図１）から空の薬剤ケース７０がケース格納部８０内に挿入され、挿入された薬剤ケース７０が既に回収された薬剤ケース７０の上に重ねられる。既に回収された薬剤ケース７０が無ければ、挿入された薬剤ケース７０が昇降台８２上に載せられる。なお、回収された薬剤ケース７０に取り付けられたＩＣチップ７８（図３）に記録された情報がセンサ８９により読み取られる。
【００３４】
図５は、服薬支援装置１００の機能を説明するためのブロック線図である。服薬支援装置１００は、例えばインターネット等の通信回線を介して、管理センタ２００との間で情報を交換することができる。また、服薬支援装置１００は、患者の脈拍や呼吸や血圧や体温などのバイタルサインを測定するバイタルサイン測定器３００から患者の生体情報を得ることができる。服薬支援装置１００とバイタルサイン測定器３００は、互いに例えば無線ＬＡＮ等により通信接続される。
【００３５】
図５の服薬支援装置１００が備える表示部３０とカメラ４０とスピーカ５０とマイク６０は、既に図１を利用して説明したとおりである。また、図５の服薬支援装置１００は、通常薬用のケース格納部８０ｎと頓服薬用のケース格納部８０ｅと回収用のケース格納部８０ｃを備えている。ケース格納部８０ｎ，８０ｅ，８０ｃの各々は、図４を利用して説明したケース格納部８０である。
【００３６】
図５に示すように、通常薬用のケース格納部８０ｎは、薬剤ケースを昇降させる昇降機構と、薬剤ケースを取り出し口１０ｎ（図１）に押し出す押出機構と、押し出される薬剤ケースのＩＣチップに記録された情報を読み取るセンサ８９を備えている。また頓服薬用のケース格納部８０ｅは、薬剤ケースを昇降させる昇降機構と、薬剤ケースを取り出し口１０ｅ（図１）に押し出す押出機構と、押し出される薬剤ケースのＩＣチップに記録された情報を読み取るセンサ８９を備えている。そして、回収用のケース格納部８０ｃは、薬剤ケースを昇降させる昇降機構と、回収口１０ｃから薬剤ケースを引き込む引込機構と、引き込まれて回収された薬剤ケースのＩＣチップに記録された情報を読み取るセンサ８９を備えている。
【００３７】
服薬支援装置１００は、ＣＰＵ等によって構成される制御部２０を備えている。制御部２０は服薬支援装置１００の全体を制御する。その制御には、服用情報処理や生体情報処理や服用記録作成も含まれている。
【００３８】
制御部２０は、通常薬を収めた薬剤ケースをその通常薬に関する服用情報に従って計画的に患者に差し出すようにケース格納部８０ｎを制御する。通常薬に関する服用情報は、例えば薬剤師等が服薬支援装置１００内に通常薬の薬剤ケースを格納する際に、記憶部２２に記憶される。通常薬に関する服用情報は、例えば通信部２４を介して管理センタ２００から得られてもよい。
【００３９】
また、制御部２０は、頓服薬を収めた薬剤ケースを患者から得られる生体情報に応じて応急的にその患者に差し出すようにケース格納部８０ｅを制御する。制御部２０は、通信部２４を介してバイタルサイン測定器３００から得られる患者の生体情報に基づいて、必要に応じてその患者に頓服薬の薬剤ケースを差し出す制御を実行する。なお、制御部２０は、バイタルサイン測定器３００から得られた生体情報を管理センタ２００に送信し、管理センタ２００から得られる頓服薬の服用情報に従って、患者に頓服薬の薬剤ケースを差し出すようにしてもよい。
【００４０】
さらに、制御部２０は、ケース格納部８０ｃ内に回収される薬剤ケースの回収状況に基づいて、通常薬と頓服薬の服用記録を作成する。回収される薬剤ケースのＩＣチップに記録された情報はケース格納部８０ｃのセンサ８９で読み取られる。制御部２０は、センサ８９から得られるＩＣチップの情報から、回収された薬剤ケースに収められていた薬を特定し、例えば、回収した時刻と薬の名称等とを対応付けた服用記録を作成する。作成された服用記録は、通信部２４を介して管理センタ２００に送信されてもよい。
【００４１】
管理センタ２００は、複数の患者が利用する複数の服薬支援装置１００との間で情報を交換することができる。そのため、各服薬支援装置１００には、その装置に独自の装置識別情報が割り当てられる。
【００４２】
例えば、薬剤師等が患者の服薬支援装置１００に、その患者が服用すべき通常薬と頓服薬を収めた複数の薬剤ケースを格納すると、その服薬支援装置１００が患者の自宅または介護施設に運ばれる。
【００４３】
服薬支援装置１００は、患者の自宅または介護施設において服薬の支援を開始するにあたり、まず、装置識別情報を管理センタ２００へ送信する。管理センタ２００は、装置識別情報に基づいて服薬支援装置１００を特定し、その服薬支援装置１００に格納された通常薬に関する服用情報をその服薬支援装置１００に送信する。なお、通常薬に関する服用情報に加えて、その服薬支援装置１００に格納された頓服薬に関する服用情報が送信されてもよい。
【００４４】
通常薬に関する服用情報を受信した服薬支援装置１００は、その服用情報に従って計画的に患者に対して通常薬を差し出す。例えば、服用情報に含まれる服用時刻や服用量に従って、通常薬を収めた薬剤ケースを患者に差し出す。
【００４５】
そして、患者に差し出した薬剤ケースが回収されると、服薬支援装置１００は、回収した時刻と薬の名称等とを対応付けた服用記録を作成し、服用記録を管理センタ２００に送信する。なお、服薬支援装置１００は、薬剤ケースを回収する際に、例えば薬剤ケースの重さ等に基づいて薬剤ケース内の残薬状況を確認し、残薬状況を管理センタ２００に送信するようにしてもよい。
【００４６】
さらに、服薬支援装置１００は、通常薬を計画的に差し出す処理と並行して、バイタルサイン測定器３００から得られる患者のバイタルサインを確認し続ける。バイタルサインに異常が無ければ、その旨の報告が例えば定期的に服薬支援装置１００から管理センタ２００に送信される。
【００４７】
一方、例えば患者の体温が閾値を超えるなど、バイタルサインに異常があると、その旨の報告が直ちに服薬支援装置１００から管理センタ２００に送信され、頓服薬に関する服用情報が管理センタ２００から服薬支援装置１００に送信される。服薬支援装置１００は頓服薬の服用情報に基づいて、直ちに頓服薬の薬剤ケースを患者に差し出す。なお、頓服薬についても、差し出した薬剤ケースが回収されると、服薬支援装置１００は、回収した時刻と薬の名称等とを対応付けた服用記録を作成し、服用記録を管理センタ２００に送信する。
【００４８】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００４９】
２０  制御部、３０  表示部、７０  薬剤ケース、８０  ケース格納部、１００  服薬支援装置。
【図１】
2014036731.tif 000003
【図２】
2014036731.tif 000004
【図３】
2014036731.tif 000005
【図４】
2014036731.tif 000006
【図５】
2014036731.tif 000007